(57)【要約】【課題】中に入れる装飾物の影響で前方額部に色移りや付着等が生じるのを防止できながら、中に入れる装飾物の固定も容易で、装飾性及び工作性に優れる立体額縁を提供する。【解決手段】観賞用の開口窓１をもつ前方額部２と、開口窓１との対面部を開放させた奥行きのある後方展示部３とを備え、前方額部２は陶器、磁器、ストーン、ドロマイト等の陶器類で形成し、後方展示部３はＭＤＦ等のファイバーボード、パルプボード等の木質材料で形成し、前方額部２の後方に後方展示部３の開放端部をエポキシ系や酢酸ビニル系やシリコン系の接着剤により接合した。前方額部２の後面に、後方展示部３の開放端部を嵌合させる溝や突起等の嵌合部を一体成形するのが好ましい。【選択図】図８
0003150923.tif 000002
【実用新案登録請求の範囲】
【請求項１】
観賞用の開口窓をもつ前方額部と、前記開口窓との対面部を開放させた奥行きのある後方展示部とを備えた立体額縁において、前記前方額部は陶器類から成る第１材料で形成し、前記後方展示部は木質材料、樹脂材料、金属材料を含む第２材料で形成しており、前記前方額部の後方に前記後方展示部の開放端部を接着により接合していることを特徴とする立体額縁。
【請求項２】
前記前方額部の後面に、前記後方展示部の開放端部を嵌合させる嵌合部を一体成形していることを特徴とする請求項１記載の立体額縁。
【考案の詳細な説明】
【技術分野】
【０００１】
本考案は、立体的な装飾物や作品等を飾ることができる立体額縁に関する。
【背景技術】
【０００２】
一般的な額縁は、絵画や写真等の薄手の掲示物を飾る構造であるが、近年の手芸、工芸分野の趣味の多様化等により、立体的造形物や厚手の作品等を飾る要望があり、観賞用の開口窓をもつ前方額部の後方に、前方を開放した奥行きのある箱型の後方展示部を一体に設け、その箱の中に、布、皮革等を素材とした手芸品、陶器、ガラス等の工芸品、ワイヤーワーク、ビーズワーク、フラワーアレンジメント等による手作り品や、パン粘土や紙粘土、樹脂粘土等による細工品、模型等を入れて鑑賞できる立体額縁が注目されている。立体額縁の先行技術文献として、例えば特許文献１がある。
【０００３】
しかし、通常の立体額縁は、全体が、木、厚紙、ダンボール等の木質材料か、プラスチック、アクリル、発泡ウレタン等の樹脂材料か、銅、真鍮、アルミ等の軽金属材料等で形成されており、後方展示部の箱の中に入れる装飾物によっては、その加工上あるいは保存上用いられている化学薬品等により、時間経過とともに、装飾物が触れる部分あるいは近接する部分に、色移りや変色、焼け等が生じ、あるいは、装飾物が前方額部の開口窓まわりにこびり付いて付着する問題がある。
【０００４】
特に、フラーアレンジメントに用いる造花、ドライフラワー、プリザーブドフラワー等は、保存料や着色料、香料等の化学薬品が素材段階で添加されているのが通常であり、前方額部の開口窓の周辺部に、中に収めた花びらが接触又は近接し、前方額部に色移りや花びらのこびり付きが生じ易く、装飾効果が損なわれたり、後に作品の入れ替えをすると、その部分の汚れが顕著に目立って見苦しい問題がある。
【０００５】
この改善策として、素材自体の特性として耐薬品性、耐酸性、耐油性に優れる陶器類で全体の額縁を形成することが考えられるが、前方額部と後方展示部とを一体成形するのはそもそも不向きでコスト高及び重量高等を招き、前方額部と後方展示部とを別体に成形して貼り合わせることとすると、陶器どうしの接合が困難で強度不足となり、中に入れる装飾物の固定もし辛くなる別の問題が生じる。
【先行技術文献】
【特許文献】
【０００６】
【特許文献１】特開２００５−１６０９７５号公報
【考案の概要】
【考案が解決しようとする課題】
【０００７】
本考案の課題は、中に入れる装飾物の影響で前方額部に色移りや付着等が生じるのを防止できながら、中に入れる装飾物の固定も容易で、装飾性及び工作性に優れる立体額縁を提供する点にある。
【課題を解決するための手段】
【０００８】
図面に例示するように、観賞用の開口窓（１）をもつ前方額部（２）と、前記開口窓（１）との対面部を開放させた奥行きのある後方展示部（３）とを備えた立体額縁において、前記前方額部（２）は陶器類から成る第１材料で形成し、前記後方展示部（３）は木質材料、樹脂材料、金属材料を含む第２材料で形成しており、前記前方額部（２）の後方に前記後方展示部（３）の開放端部（４）を接着により接合している特徴をもつ。この場合、前記前方額部（２）の後面（６）に、前記後方展示部（３）の開放端部（４）を嵌合させる嵌合部（７）を一体成形しているのが好ましい。
【考案の効果】
【０００９】
前方額部（２）を陶器類から成る第１材料で形成しているため、後方展示部（３）の中に入れる装飾物が開口窓（１）の周りに接触または近接しても、素材自体の特性として耐薬品性、耐酸性、耐油性に優れる陶器類の表面に色移りや付着等が生じるのを防止でき、前方額部（２）の装飾効果を長く維持できると共に、作品の入れ替え等による再利用にも良好に対応できる。しかも、後方展示部（３）を木質材料、樹脂材料、金属材料を含む第２材料で形成しているため、陶器類で形成している前方額部（２）の後方に後方展示部（３）を例えばエポキシ系や酢酸ビルニ系やシリコン系のボンド等により容易に接着でき、接着による接合強度も十分なものにできる。また、中に入れる装飾物の固定も接着等により容易に行え、また、全体の重量及びコストの軽減化も図れる。
【図面の簡単な説明】
【００１０】
【図１】図１は実施例１にかかる立体額縁の正面図である。
【図２】図２は同背面図である。
【図３】図３は同右側面図である。
【図４】図４は図２のＡ−Ａ‘線で切断した断面図である。
【図５】図５は前方額部と後方展示部との接合を説明する組立図である。
【図６】図６は机や棚にじか置きした場合の側面図である。
【図７】図７は立体額縁の自立式スタンドの組立及び適用を説明する斜視図である。
【図８】図８はフラワーアレンジメント作品を収めた展示例の斜視図である。
【図９】図９は実施例２にかかる立体額縁の正面図である。
【図１０】図１０は後方展示部の開放端部近傍で切断した実施例２の背面図である。
【考案を実施するための形態】
【００１１】
前方額部に用いる第１材料の陶器類は、陶器の他、陶器と同等の耐薬品性、耐酸性、耐油性をもつ磁器、ストーン、ドロマイト（ｄｏｌｏｍｉｔｅ）等を含む。
後方展示部に用いる第２材料の最適例である木質材料は、木質繊維を原料とする成型板（ファイバーボード）の一種であるＭＤＦ（ｍｅｄｉｕｍ  ｄｅｎｓｉｔｙ  ｆｉｂｅｒｂｏａｒｄ）と呼ばれる中密度繊維板、パルプボード、ダンボール、木材、コルク材等を含む。
【実施例１】
【００１２】
図１に示すように、鑑賞用の開口窓１をもつ前方額部２は、正方形や長方形等の矩形のプレート状に焼かれた陶器で全体を形成している。そのプレートの前面５には、開口窓１を囲む凹凸のある内周装飾２１と、外枠を形作る凹凸のある外周装飾２２とを一体成形している。全体は白地で、各装飾２１，２２には、薄い茶色や、薄い紫色、薄い青色、淡いピンク色等の着色を施し、全体を光沢のある釉（うわぐすり）で仕上げている。
【００１３】
図２及び図３に示すように、前方額部２の後方には、開口窓１との対面部を開放させた奥行きのある後方展示部３を備える。この後方展示部３は、ＭＤＦから成る木質材料で形成している。後方展示部３は、背面板３１、右側面板３２、左側面板３３、上面板３４、底面板３５を箱形に組み立てて構成している。全体は塗料にて着色仕上げしている。開口窓１と対面する開放端部４の口の広さは、前方額部２の外枠寸法よりも小さいが、開口窓１よりは大きめにしている。上面板３４には、壁掛け用の吊金具３６をネジ等により固定している。
【００１４】
図４及び図５に示すように、前方額部２の後面６には、後方展示部３の開放端部４を嵌合させる嵌合部７を一体成形している。この嵌合部７は、開放端部４の矩形に沿って一周する環状の溝７１から成り、この溝７１の部分にエポキシ系の２液接着剤を流し込み、前方額部２の後方に後方展示部３の開放端部４を接着により接合している。
【００１５】
吊金具３６による壁掛けだけでなく、図６に示すように、前方額部２の下部と、後方展示部３の背面板３１及び底面板３５の角部とを、机や棚等の水平面８に接地させることにより、じか置きも可能である。
【００１６】
図７に示すように、簡易な組立式の自立用スタンド９を用いた設置も可能である。このスタンド９は、厚紙や樹脂板等を用いた一枚の平板から成る。安価で場所のとらない付属品である。左右には、後方展示部３の背面板３１及び底面板３５の角部を受入れる９０度前後又は直角状の受部９１，９２と、前方額部２の後面６に接触する接触辺９３，９４とを備える。中央二箇所には、一対の折曲げ線９５，９６を予めプレス加工等により入れており、使用時は、その折曲げ線９５，９６に沿って「くの字型」に折り曲げる。折曲げ線を２本としているため、開く角度を良好に保持でき、また、９０度前後の受部９１，９２により安定した設置が可能である。
【００１７】
図８に示すように、フラワーアレンジメント作品１０を後方展示部３に入れて飾ると、高級感溢れた独特の意匠的効果が奏される。使用材料となる造花、ドライフラワー、プリザーブドフラワー等に添加された保存料や着色料、香料等の化学薬品により、前方額部２に色移りや花びらのこびり付き等はほぼ生じない。長時間が経っても装飾効果が損なわれることはなく、また、作品の入れ替え等による額縁の再利用も可能となる。
【実施例２】
【００１８】
図９及び図１０に示すように、鑑賞用の開口窓１を楕円や円形に、前方額部２の全体も楕円や円形にしてもよい。前方額部２は、プレート状の陶器で全体を形成するため、形状の変更は容易である。後方展示部３は、矩形の箱形であるが、これは、ＭＤＦを用いた製作上の容易性を考慮すると共に、中に入れる装飾物の固定等を容易にするためである。例えば、小さな花瓶や花を生ける花器、シャンパングラスやワイングラス等も、平板状の底面板３５の上に載せることができる。
【００１９】
楕円型の前方額部２の後面６には、後方展示部３の開放端部４を嵌合させる嵌合部７を一体成形している。この嵌合部７は、開放端部４の矩形の外周四辺に部分的に接触する四つの外周突起７２，７３，７４，７５と、開放端部４の矩形の角部内面四箇所に接触する四つの内周突起７６，７７，７８，７９とから成る。各突起７２〜７９は、前方額部２の後面６から少しだけ突出する。前方額部２の後面６から突出するこれら外周突起７２〜７５と内周突起７６〜７９との間に開放端部４を挟み込むように挿入し、エポキシ系の２液接着剤にて接着により接合するようにしている。
【符号の説明】
【００２０】
１；開口窓
２；前方額部
３；後方展示部
４；開放端部
７；嵌合部
【図１】
0003150923.tif 000003
【図２】
0003150923.tif 000004
【図３】
0003150923.tif 000005
【図４】
0003150923.tif 000006
【図５】
0003150923.tif 000007
【図６】
0003150923.tif 000008
【図７】
0003150923.tif 000009
【図８】
0003150923.tif 000010
【図９】
0003150923.tif 000011
【図１０】
0003150923.tif 000012